(57)【要約】      （修正有）【課題】フォークの挿入持ち上げ部をバケット体の上部に設けて積雪を収納した時のバランスを良好なものにするとともに、前記フォークの挿入持ち上げ部の構造を単純な筒状構造とし、バケット体を背板部分よりも開口部の側を深くしたので積雪の収納と排出とを効率よく行うことができる除雪用バケットを提供する。【解決手段】背板１２を備えた広幅のＵ字状バケット体１１と、バケット体の上部に形成したフォークリフト車の昇降する左右のフォークを挿入する一対の筒状のフォーク挿入部１３とを備えるとともに、フォーク挿入部をバケット体の底部に対して開口部側に所定角度αをもって上向きに設置した除雪用バケットであって、フォークリフト車の昇降する左右のフォークをフォーク挿入部に挿入してこのフォークの昇降により積雪をかき上げ、フォークを支持するマスト２３の前傾により開口部から雪を排出できるようにしたことを特徴とする。【選択図】図７
0003196709.tif 000002
【実用新案登録請求の範囲】
【請求項１】
背板を備えた広幅のＵ字状バケット体と、該バケット体の上部に形成したフォークリフト車の昇降する左右のフォークを挿入する一対の筒状のフォーク挿入部とを備えるとともに、前記フォーク挿入部をバケット体の底部に対して開口部側に所定角度αをもって上向きに設置した除雪用バケットであって、
フォークリフト車の昇降する左右のフォークを前記フォーク挿入部に挿入してこのフォークの昇降により積雪をかき上げ、前記フォークを支持するマストの前傾により開口部から雪を排出できるようにしたことを特徴とする除雪用バケット。
【請求項２】
前記バケット体は、接地した状態で前記フォークリフト車を前進させることにより積雪を前記バケット体の開口部から収納できるようにしたことを特徴とする請求項１記載の除雪用バケット。
【請求項３】
前記バケット体の背板は、フォークリフト車の運転席から積雪の収納ないし排出状態を確認することができる窓が形成されていることを特徴とする請求項１または２記載の除雪用バケット。
【請求項４】
前記フォーク挿入部は、挿入したフォークを抜け止めするための係止ボルトを適宜位置に取り付けられていることを特徴とする請求項１ないし３のいずれかに記載の除雪用バケット。
【考案の詳細な説明】
【技術分野】
【０００１】
この考案は、荷物の運搬に使用するフォークリフト車の昇降するフォークに取り付けて、労力を要せずに多量の雪をすくい取ったり、運搬して所定の場所に排出することができる除雪用バケットに関するものである。
【背景技術】
【０００２】
多量の雪をすくい取って運んだり、運搬して所定の場所に排出する除雪作業は非常に労力のかかる作業である。大掛かりな除雪車は、公道の除雪を行なうのみであり、私道やビルや住宅の周囲などは自ら除雪しなければならない。
【０００３】
例えば店先の狭い範囲ならばスコップやスノーダンプなどを用いて除雪できるが、広いスペース、例えば駐車場、特に店舗や会社や工場の駐車場或いは広大な荷物保管スペースまたは私道や公園などの公道以外のスペースを除雪する場合は、多数の人手を必要とし、人的コストは非常に膨大なものであった。
【０００４】
そこで、従来様々な簡易型の除雪機の開発が試みられてきたが、いずれも高価な機体となり、特に多量の雪を運搬できるように設計するタイプは、非常に高価となっていた。
【０００５】
ところで、会社や工場ではパレット上の荷物を運ぶフォークリフト車を使用するところが多く、このフォークリフト車はかなり普及している。
しかもこのフォークリフト車は、中古車を含めれば比較的安価なものも多く入手し易い。
【０００６】
また、このフォークリフト車のフォークは運転席で昇降操作できるだけでなく、フォークをパレットのフォーク挿入孔部に挿入したり引き出し易いように、約１０度程度まで前方に傾斜させることもでき、また走行中に持ち上げた荷物が落ちないようにフォークを約２０度程度まで後方へ傾斜させることもできるように設計されているものが多い。
さらにフォークリフト車は、一般に後輪を操作輪としているものが多く、非常に小回りが良く扱い易い。
【０００７】
このようなフォークリフト車のフォークを挿入して利用する除雪装置としては特開２００８−２０７８８６号公報（特許文献１参照）、特開２００３−１９３４４５号公報（特許文献２参照）、特開２００２−６０１９４号公報（特許文献３参照）、実開平２−３４５９７号公報（特許文献４参照）、実開昭５５−１０１８９７号公報（特許文献５参照）に示す種々の装置が知られている。
【先行技術文献】
【特許文献】
【０００８】
【特許文献１】特開２００８−２０７８８６号公報
【特許文献２】特開２００３−１９３４４５号公報
【特許文献３】特開２００２−６０１９４号公報
【特許文献４】実開平２−３４５９７号公報
【特許文献５】実開昭５５−１０１８９７号公報
【考案の概要】
【考案が解決しようとする課題】
【０００９】
しかしながら、フォークリフト車のフォークを利用してフォークリフト車に除雪用バケットを簡単に取り付け、該除雪用バケットを昇降並びに傾動操作する従来例においては、特許文献１ないし４ではフォークの挿入持ち上げ部をバケット体の下部に設けてあるため積雪を収納した時に非常にバランスが悪かった。
また特許文献５ではフォークの挿入持ち上げ部をバケット体の上部に設けてあるがフォークの挿入持ち上げ部の構造が複雑であり、バケット体の底部がフォークと平行なので積雪の収納と排出とを効率よく行うことが難しいという問題があった。
【００１０】
そこでこの考案は、フォークの挿入持ち上げ部をバケット体の上部に設けて積雪を収納した時のバランスを良好なものにするとともに、フォークの挿入持ち上げ部の構造を単純な筒状構造とし、バケット体を背板部分よりも開口部の側を深くしたので積雪の収納と排出とを効率よく行うことができる除雪用バケットを提供しようとするものである。
【課題を解決するための手段】
【００１１】
すなわちこの考案の除雪用バケットは、背板を備えた広幅のＵ字状バケット体と、該バケット体の上部に形成したフォークリフト車の昇降する左右のフォークを挿入する一対の筒状のフォーク挿入部とを備えるとともに、前記フォーク挿入部をバケット体の底部に対して開口部側に所定角度αをもって上向きに設置した除雪用バケットであって、
フォークリフト車の昇降する左右のフォークを前記フォーク挿入部に挿入してこのフォークの昇降により積雪をかき上げ、前記フォークを支持するマストの前傾により開口部から雪を排出できるようにしたことを特徴とするものである。
【００１２】
この考案の除雪用バケットにおいて、前記バケット体は、接地した状態で前記フォークリフト車を前進させることにより積雪を前記バケット体の開口部から収納できるようにしたことをも特徴とするものである。
【００１３】
この考案の除雪用バケットにおいて、前記バケット体の背板は、フォークリフト車の運転席から積雪の収納ないし排出状態を確認することができる窓が形成されていることをも特徴とするものである。
【００１４】
この考案の除雪用バケットにおいて、前記フォーク挿入部は、挿入したフォークを抜け止めするための係止ボルトを適宜位置に取り付けられていることをも特徴とするものである。
【考案の効果】
【００１５】
１）この考案は請求項１のように、前記フォーク挿入部をバケット体の底部に対して開口部側に所定角度αをもって上向きに設置したので、マストを後傾させて収納した積雪を落下させないようにし、マストを前傾させて積雪の排出を効率よく行うことができる除雪用バケットを提供することができる。
すなわち、マストの前傾・後傾の角度を大きくとることができようになっているので、マストの後傾、前傾の操作で簡単に収納した積雪の落下防止や積雪の排出を行うことができる。
２）請求項２のバケット体は、接地した状態で前記フォークリフト車を前進させることにより積雪を前記バケット体の開口部から収納できるようにしたので、接地の際の衝撃や負荷が直接的にフォークにかかることがなく、耐久性に優れた除雪用バケットを提供することができる。
３）請求項２のバケット体の背板は、フォークリフト車の運転席から積雪の収納ないし排出状態を確認することができる窓が形成されているため、フォークリフト車の運転席から積雪の収納ないし排出状態を無理なく確認することができ、除雪作業を円滑に行うことが可能な除雪用バケットを提供することができる。
４）請求項４のフォーク挿入部は、挿入したフォークを抜け止めするための係止ボルトを適宜位置に取り付けられているので、挿入されたフォークを係止ボルトのような簡単な抜け止め手段で保持することができ、フォークを取り付けかつ取り外すことが簡単な除雪用バケットを提供することができる。
【図面の簡単な説明】
【００１６】
【図１】この考案の実施の形態を説明するためのものであり、１実施例の側面図である。
【図２】（ａ）はその正面図、（ｂ）はその背面図である。
【図３】その斜視図である。
【図４】中央で切断した状態の斜視図である。
【図５】フォーク挿入部において切断した状態の斜視図である。
【図６】フォークリフト車に取り付けた除雪用バケットを示す側面図である。
【図７】すくい上げた積雪を排出する場合の除雪用バケットの側面図である。
【考案を実施するための形態】
【００１７】
この考案の除雪用バケットの実施の形態を、図面に基づいて詳細に説明する。
この考案の除雪用バケット１０は、図１ないし図５に示すように、背板１２を備えた広幅のＵ字状バケット体１１と、該バケット体１１の上部に形成したフォークリフト車２１のマスト２３上を昇降する左右のフォーク２２，２２を挿入する一対の筒状のフォーク挿入部１３，１３とを備えるとともに、前記フォーク挿入部１３，１３をバケット体１１の底部に対して開口部１４側に所定角度αをもって上向きに設置したので、後述するマストを後傾させて収納した積雪を落下させないようにし、マストを前傾させて積雪の排出を効率よく行うことができる除雪用バケット１０を提供することができる。
すなわち、フォーク挿入部１３，１３をバケット体１１の上部に設けて積雪を収納した時のバランスを良好なものにするとともに、フォーク挿入部１３，１３の構造を単純な筒状構造とし、バケット体１１の底部に対して開口部１４側に所定角度αをもって上向きに設置したので、積雪の収納と排出とを効率よく行うことができるのである。
【００１８】
さらに前記バケット体１０は、接地した状態で前記フォークリフト車２１を前進させることにより積雪を前記バケット体１１の開口部１４から収納できるようにしたものである。
したがって、接地の際の衝撃や負荷が直接的にフォーク２２，２２にかかることがなく、耐久性に優れた除雪用バケット１０を提供することができる。
【００１９】
さらに、前記バケット体１１の背板１２は、フォークリフト車２１の運転席２４から積雪の収納ないし排出状態を確認することができるように窓１２ａが形成されている。
このようにしたので、フォークリフト車２１の運転席２４から積雪の収納ないし排出状態を無理なく確認することができ、除雪作業を円滑に行うことが可能な除雪用バケット１０を提供することができる。
【００２０】
前記フォーク挿入部１３，１３は、挿入したフォーク２２，２２を抜け止めするための係止ボルト１３ａ，１３ａを適宜位置に取り付けられている。
すなわち、挿入されたフォーク２２，２２を係止ボルト１３ａ，１３ａのような簡単な抜け止め手段で保持することができ、フォーク２２，２２の取り付けかつ取り外しを非常に簡単に行うことができる。
【００２１】
この考案の除雪用バケット１０は以上のように構成したので、フォークリフト車２１の昇降する左右のフォーク２２，２２を前記フォーク挿入部１３，１３に挿入してこのフォーク２２，２２の昇降により開口部１４から積雪をかき上げ、前記フォーク２２，２２を支持するマスト２３の前傾により開口部１４から雪を無理なく排出することができる。
その際、前記フォーク挿入部１３，１３をバケット体１１の底部に対して開口部１４側に所定角度αをもって上向きに設置したので、マスト２３の前傾・後傾の動作範囲を大きくとることができ、マスト２３の動きのみで収納した積雪を簡単に排出することができる。
【００２２】
例えば、現在普及されているフォークリフト車２１のフォーク２２，２２を差し込み係止できるようにフォーク挿入部１３、１３を形成することで、この考案に係る除雪用バケット１０を入手すれば、既存のフォークリフト車２１が極めて秀れた除雪機となるのである。
また、フォーク２２，２２を後傾させれば、積雪を収納したバケット体１１は地面に対して後傾するから、フォークリフト車２１の走行時に誤って雪が落下することもなく、極めて実用性に秀れた除雪用バケット１０となる。
【００２３】
この考案は、フォークリフト車２１が除雪機の走行体として極めて秀れていることに着目したものであり、このフォークリフト車２１のフォーク２２，２２を利用すれば取り付けが簡単となる上、前傾・後傾も可能で広大なスペースでも簡単に効率良く除雪作業ができる画期的な除雪機を簡単に実現することができる。
【００２４】
したがって、例えばこの考案を用いることで、一般に会社や車庫や工場などにある数台のフォークリフト車２１のフォーク２２，２２をフォーク挿入部１３，１３に差し入れて、係止ボルト１３ａ，１３ａにより抜け止め状態として取り付けるだけで除雪機を完成でき、少なくとも会社等の広大な駐車場や保管スペースを簡単に除雪できることとなり、極めて実用性に秀れたものとなる。
【００２５】
また、このバケット体１１の開口部１４の側を深くして底面を先端側である前方へ傾斜状態に形成したので、前記フォーク２２，２２をほぼ水平な状態から前方へ傾斜させた際、このフォーク２２，２２の傾斜と前記底面の傾斜とでバケット体１１内の積雪を開口部１４から滑走させて排出し得るようになっている。
前記フォーク２２，２２を後方へ傾斜させた際には、前記底面がほぼ水平若しくは地面に対して後方へ傾斜した状態となるので、走行時はフォーク２２，２２の後傾で誤って積雪を排出しないで済む。
【産業上の利用可能性】
【００２６】
この考案は上述のように構成したから、近年普及されている種々のフォークリフト車のフォークを利用して除雪用バケットを簡単に取り付けることができ、除雪用バケットを昇降操作することで多量の積雪をすくい上げたり、運搬して所定場所に滑走させて落下させることにより排出させることができ、労力を要せずに例えば駐車場や保管スペースなど除雪したい広大なスペースを簡易な操作で簡単に除雪でき、しかも、低コストでこれまでにない極めて実用性に秀れた除雪用バケットとなる。
さらに、既存のバケット体にフォーク挿入部を上述の所定角度αの上向き構造として取り付けることにより、既存のバケット体を簡単に除雪用バケットに改造することができる。
【符号の説明】
【００２７】
１０ 除雪用バケット
１１  バケット体
１２  背板
１２ａ  窓
１３，１３  フォーク挿入部
１３ａ，１３ａ  係止ボルト
１４  開口部
２１  フォークリフト車
２２，２２  フォーク
２３  マスト
２４  運転席
【図１】
0003196709.tif 000003
【図２】
0003196709.tif 000004
【図３】
0003196709.tif 000005
【図４】
0003196709.tif 000006
【図５】
0003196709.tif 000007
【図６】
0003196709.tif 000008
【図７】
0003196709.tif 000009